(57)【特許請求の範囲】
【請求項１】
２列のニードル列を有する経編機を用い地糸及びジャカード柄糸で袋状の経編地を編成するに際し、所定の形状に応じた各袋状経編地をジャカード柄糸で対面方向に適宜位置で連結して編成するとともに、前記袋状経編地を連結編糸の挿入編組織で編地幅方向に複数連結して連続袋状経編地を編成後、連結編糸により連結された状態で連続袋状経編地に所定の加工を加えしかる後、挿入された連結編糸を抜糸又は溶解などの除去手段を介し除去して個別の袋状経編地に分離することを特徴とする一体成形袋状経編地の製造方法。
【請求項２】
連続袋状経編地編成中に連結編糸の糸テンションを調整して、所定の形状に応じて袋状経編地に形状変化部を形成することを特徴とする請求項１に記載の一体成形袋状経編地の製造方法。
【発明の詳細な説明】
【０００１】
【発明の属する技術分野】
本発明は２列のニードル列を有する経編機、例えばダブルラッシェル機により編成される一体成形袋状経編地及びその製造方法に関する。
【０００２】
【従来の技術】
従来、一体成形袋状経編地を製造する方法としては、ダブルラッシェル機の各ニードル列で編成してなる経編地を、所定の形状に応じて各経編地の対面方向に連結して形成する方法があり、特開昭６２−１０４９０１号には無縫製ショーツを編方向に連続して編成する方法が、特開昭６２−２２３３５１号には無縫製シャツを編方向に連続して編成する方法が各々開示されている。又、公開技報８６−５８２２及び公開技報８７−２４７５には２列のニードル列と２枚のジャカード筬を備えたダブルラッシェル機で編成された一体成形袋状経編地により製作される各種衣服や身の回り品が数多く紹介されている。
【０００３】
【発明が解決しようとする課題】
しかしながら、特開昭６２−１０４９０１号あるいは特開昭６２−２２３３５１号に記載の各々の方法でショーツあるいはシャツを編地編方向のみに連続して編成した場合、仕上げ加工を各一繋がりの連続袋状経編地毎に行わねばならない。この仕上げ加工の時間と手間を節約するには、最少工程数で加工できるように各連続袋状経編地を編地幅方向にも連結して、すべての袋状経編地を１枚の編地として編成する必要がある。そのためには編地編方向及び編地幅方向において各袋状経編地の連結部分として平編地部を形成して編成し、仕上げ加工後に単体の製品とするためにその平編地部を裁断せねばならず、各袋状経編地の編地編方向側及び編地幅方向側の被裁断部において平編地部が残留してしまった。同様に公開技報８６−５８２２及び公開技報８７−２４７５で紹介されている各種製品を編成する場合でも、編地編方向及び編地幅方向において各製品の連結部分としての平編地部を形成すれば、編地編方向側及び編地幅方向側の被裁断部における平編地部が残留している製品しか編成できなかった。一方、編地編方向のみに袋状経編地を連続して編成した場合、編地幅方向側に平編地部が残留していない状態として編成することは可能であるが、その場合各連続袋状経編地毎に仕上げ加工を行わねばならず、最少工程数で仕上げ加工が可能であり且つ編地幅方向に連結部分が残留していない状態である袋状経編地を編成する方法は実現されていなかった。又、前記袋状経編地の編成中に所定の形状に応じてくびれ部等の形状変化部を形成する方法も当然にして実現されていなかった。
【０００４】
本発明は、最少工程数で仕上げ加工が可能であり且つ編地幅方向側に連結部分が残留していない状態である袋状経編地及びその製造方法と、所定の形状に応じて形状変化部を形成してなる袋状経編地及びその製造方法を提供することを目的とする。
【０００５】
【課題を解決するための手段】
２列のニードル列を有する経編機の各ニードル列で編成してなる経編地を、所定の形状に応じて各経編地の対面方向に連結編成して袋状経編地となし、前記袋状経編地に編地幅方向で連結編糸による連結部分を形成して一体に連結編成した連続袋状経編地から、連結編糸の除去により連結部分を無くし個別の袋状経編地に分離形成してなる構成とすることで着用時に残留平編地部による違和感を感じず、外観に優れた一体成形袋状経編地が得られる。
【発明の実施の形態】
【０００６】
連続袋状経編地編成中に連結編糸の糸テンションを調整して編成してなる経編地であって、所定の形状に応じて編成された編地に形状変化部が形成されている構成とすることで、体型に適合した形状の一体成形袋状経編地が得られる。
【０００７】
一体成形袋状経編地に曲がり鎖編糸の編み込みでほつれ防止部が形成されている構成とすることで、裁断端から編糸がほつれにくい一体成形袋状経編地が得られる。
【０００８】
２列のニードル列を有する経編機を用い袋状の経編地を編成するに際し、所定の形状に応じた各袋状経編地を対面方向に適宜位置で連結して編成するとともに、連結編糸で前記袋状経編地を編地幅方向に複数連結して連続袋状経編地を編成後、この連続袋状経編地に所定の加工を加えしかる後、連結編糸を除去して個別の袋状経編地に分離するように構成することで、最少工程数で仕上げ加工された後、編地幅方向側に連結部分が残留していない状態の一体成形袋状経編地が製造される。
【０００９】
連続袋状経編地編成中に連結編糸の糸テンションを調整して、所定の形状に応じて袋状経編地に形状変化部を形成するように構成することで、最少工程数で仕上げ加工された後、編地幅方向側に連結部分が残留していない状態であり且つくびれ部等の形状変化部を有する一体成形袋状経編地が製造される。
【００１０】
【実施例】
以下本案の実施例を図面に基づいて説明する。図１の（Ａ）〜（Ｇ）は本発明の一体成形袋状経編地を編成するためのダブルラッシェル機の各種筬配列を示している。筬配列（Ａ）は編機前方側より地筬Ｌ１，Ｌ２、ジャカード筬Ｌ３，Ｌ４、地筬Ｌ５，Ｌ６を示し、筬配列（Ｂ）は編機前方側より柄筬Ｌ１，Ｌ２、地筬Ｌ３、ジャカード筬Ｌ４，Ｌ５、地筬Ｌ６、柄筬Ｌ７，Ｌ８を示し、筬配列（Ｃ）は編機前方側より柄筬Ｌ１，Ｌ２、地筬Ｌ３，Ｌ４、ジャカード筬Ｌ５，Ｌ６、地筬Ｌ７，Ｌ８、柄筬Ｌ９，Ｌ１０を示し、筬配列（Ｄ）は編機前方側より地筬Ｌ１，Ｌ２、柄筬Ｌ３，Ｌ４、ジャカード筬Ｌ５，Ｌ６、柄筬Ｌ７，Ｌ８、地筬Ｌ９，Ｌ１０を示し、筬配列（Ｅ）は編機前方側より地筬Ｌ１，Ｌ２、柄筬Ｌ３，Ｌ４，Ｌ５，Ｌ６、ジャカード筬Ｌ７，Ｌ８、柄筬Ｌ９，Ｌ１０，Ｌ１１，Ｌ１２、地筬Ｌ１３、Ｌ１４を示し、筬配列（Ｆ）は編機前方側より地筬Ｌ１，Ｌ２，Ｌ３、柄筬Ｌ４，Ｌ５、ジャカード筬Ｌ６，Ｌ７、柄筬Ｌ８，Ｌ９、地筬Ｌ１０，Ｌ１１，Ｌ１２を示し、筬配列（Ｇ）は地筬Ｌ１，Ｌ２，Ｌ３、柄筬Ｌ４，Ｌ５，Ｌ６，Ｌ７、ジャカード筬Ｌ８，Ｌ９、柄筬Ｌ１０，Ｌ１１，Ｌ１２，Ｌ１３、地筬Ｌ１４，Ｌ１５，Ｌ１６を示している。図２の（Ｈ）〜（Ｊ）は連結編糸除去前の本発明の一体成形袋状経編地例を示しており、経編地例（Ｈ），（Ｉ）はシャツ地編成時の例、経編地（Ｊ）はショーツ地編成時の例を各々示している。図３は連結編糸除去後の本発明の一体成形袋状経編地例であり、経編地例（Ｋ），（Ｌ），（Ｍ）はシャツ、経編地例（Ｎ）はショーツを各々示している。なお、ジャカード筬には圧電素子への通電によりジャカードガイドを制御するピエゾジャカードガイドを使用するのが望ましい。
【００１１】
以下各筬配列を有する経編機を使用する場合毎に本発明の実施例を説明してゆく。図１の筬配列（Ａ）を有するダブルラッシェル機を使用して製造される一体成形袋状経編地及びその製造方法は次の通りである。経編地例（Ｈ）における連続袋状経編地１を編成するに際して、地糸（図示せず）を通糸してなる地筬Ｌ２，Ｌ５の各々に鎖編組織を使用してシャツ地２が編成される場合には、地筬Ｌ２，Ｌ５を使用して片面基布３ａ及び他面基布３ｂの各々の地組織が鎖編組織で形成され、ジャカード柄糸（図示せず）を通糸してなるジャカード筬Ｌ３，Ｌ４を使用して、鎖編列をジャカード柄糸で連結することでジャカード柄４が形成される。その際、両基布の対面方向の連結もジャカード筬Ｌ３，Ｌ４で行われる。地筬Ｌ１，Ｌ６の各々に通糸されている連結編糸５ａ，５ｂは適宜編コース間隔を空けて挿入編組織で単体としてのシャツ地２間の連結及びシャツ地２の胴部と袖部間の連結を各々編地幅方向にて行い、胴部における所望の形状に応じて連結編糸５ｂの給糸量を適宜調整することで胴部がくびれた形状となる。その際、シャツ地間の連結あるいは胴部と袖部間の連結を行わない箇所において、連結編糸５ａ，５ｂはシャツ地２に編み込まれない。編成終了後に、連続袋状経編地１を仕上げ加工した後、連結編糸５ａ，５ｂを抜糸することで、連結編糸５ａ，５ｂ除去後の被分離部６が連結部分の残留していない状態に形成される。
【００１２】
地筬Ｌ２，Ｌ５の各々に鎖編組織を使用してシャツ地２が編成されるとしても、オーバーラッピング編組織を基本編組織として柄形成を行うジャカード筬Ｌ３及び／又はジャカード筬Ｌ４で、シャツ地２間及びシャツ地２の胴部と袖部間を編地幅方向にて連結する場合には、両基布の対面方向の連結は地筬Ｌ１，Ｌ６の内少なくとも１枚で行われ、連結編糸５ａ，５ｂに水溶性糸を使用すれば仕上げ加工時に連結編糸５ａ，５ｂが溶解除去されて被分離部６が連結部分の残留していない状態に形成される。
【００１３】
経編地例（Ｊ）における連続袋状経編地１０１を編成するに際して、地糸（図示せず）を通糸してなる地筬Ｌ２，Ｌ５の各々に鎖編組織を使用してショーツ地１０２が編成される場合には、地筬Ｌ２，Ｌ５を使用して片面基布１０３ａ及び他面基布１０３ｂの各々の地組織が鎖編組織で形成され、ジャカード柄糸（図示せず）を通糸してなるジャカード筬Ｌ３，Ｌ４を使用して、鎖編列をジャカード糸で連結することで必要に応じてジャカード柄が形成される。その際、両基布の対面方向の連結もジャカード筬Ｌ３，Ｌ４で行われる。地筬Ｌ１，Ｌ６の各々に通糸されている連結編糸１０５ａ，１０５ｂは適宜編コース間隔を空けて挿入編組織で単体としてのショーツ地１０２間の連結及びショーツ地１０２の脚部と島部７間の連結を各々編地幅方向にて行う。その際、ショーツ地間の連結あるいは脚部と島部７間の連結を行わない箇所において、連結編糸１０５ａ，１０５ｂはショーツ地１０２に編み込まれない。編成終了後に、連続袋状経編地１０１を仕上げ加工した後、連結編糸１０５ａ，１０５ｂを抜糸することで、連結編糸１０５ａ，１０５ｂ除去後の被分離部１０６が連結部分の残留していない状態に形成される。
【００１４】
図１の筬配列（Ｂ）を有するダブルラッシェル機を使用して製造される一体成形袋状経編地及びその製造方法は次の通りである。経編地例（Ｈ）における連続袋状経編地１を編成するに際して、地糸（図示せず）を通糸してなる地筬Ｌ３，Ｌ６の各々に鎖編組織を使用してシャツ地２が編成される場合には、地筬Ｌ３，Ｌ６を使用して片面基布３ａ及び他面基布３ｂの各々の地組織が鎖編組織で形成され、ジャカード柄糸（図示せず）を通糸してなるジャカード筬Ｌ４，Ｌ５を使用して、鎖編列をジャカード糸で連結することでジャカード柄４が形成される。その際、両基布の対面方向の連結もジャカード筬Ｌ４，Ｌ５で行われる。柄筬Ｌ１，Ｌ２，Ｌ７，Ｌ８の内いずれか２枚に各々通糸されている連結編糸５ａ，５ｂは適宜編コース間隔を空けて挿入編組織で単体としてのシャツ地２間の連結及びシャツ地２の胴部と袖部間の連結を各々編地幅方向にて行い、胴部における所望の形状に応じて連結編糸５ｂの給糸量を適宜調整することで胴部がくびれた形状となる。その際、シャツ地間の連結あるいは胴部と袖部間の連結を行わない箇所において、連結編糸５ａ，５ｂはシャツ地２に編み込まれない。編成終了後に、連続袋状経編地１を仕上げ加工した後、連結編糸５ａ，５ｂを抜糸することで、連結編糸５ａ，５ｂ除去後の被分離部６が連結部分の残留していない状態に形成される。
【００１５】
地筬Ｌ３，Ｌ６の各々に鎖編組織を使用してシャツ地２が編成されるとしても、オーバーラッピング編組織を基本編組織として柄形成を行うジャカード筬Ｌ４及び／又はジャカード筬Ｌ５で、シャツ地２間及びシャツ地２の胴部と袖部間を編地幅方向にて連結する場合には、両基布の対面方向の連結は柄筬Ｌ１，Ｌ２，Ｌ７，Ｌ８の内少なくとも１枚で行われ、連結編糸５ａ，５ｂに水溶性糸を使用すれば仕上げ加工時に連結編糸５ａ，５ｂが溶解除去されて被分離部６が連結部分の残留していない状態に形成される。
【００１６】
経編地例（Ｉ）における連続袋状経編地２０１を編成するに際して、地糸（図示せず）を通糸してなる地筬Ｌ３，Ｌ６の各々に鎖編組織を使用してシャツ地２０２が編成される場合には、地筬Ｌ３，Ｌ６を使用して片面基布２０３ａ及び他面基布２０３ｂの各々の地組織が鎖編組織で形成され、ジャカード柄糸（図示せず）を通糸してなるジャカード筬Ｌ４，Ｌ５を使用して、鎖編列をジャカード糸で連結することでジャカード柄２０４が形成される。その際、両基布の対面方向の連結もジャカード筬Ｌ４，Ｌ５で行われる。柄筬Ｌ１，Ｌ２，Ｌ７，Ｌ８の内いずれか３枚に各々通糸されている連結編糸２０５ａ，２０５ｂ，２０５ｃは適宜編コース間隔を空けて挿入編組織で単体としてのシャツ地２０２間の連結、シャツ地２０２の胴部と島部２０７間の連結、シャツ地２０２の袖部と島部２０７間の連結を各々編地幅方向にて行い、胴部における所望の形状に応じて連結編糸２０５ｂ，２０５ｃの給糸量を適宜調整することで胴部がくびれた形状となる。その際、島部２０７を形成したことで連結編糸２０５ｂ，２０５ｃの糸テンションが適度に吸収されるので、シャツ地２０２の袖部が連結編糸２０５ｂ，２０５ｃの糸テンションに影響されずに編地編方向に真っすぐな形状を保って形成される。又、シャツ地間の連結、胴部と島部間の連結あるいは袖部と島部間の連結を行わない箇所において、連結編糸２０５ａ，２０５ｂ，２０５ｃはシャツ地２０２に編み込まれない。編成終了後に、連続袋状経編地２０１を仕上げ加工した後、連結編糸２０５ａ，２０５ｂ，２０５ｃを抜糸することで、連結編糸２０５ａ，２０５ｂ，２０５ｃ除去後の被分離部２０６が連結部分の残留していない状態に形成される。なお、島部２０７は最終的に切断除去される。
【００１７】
地筬Ｌ３，Ｌ６の各々に鎖編組織を使用してシャツ地２０２が編成されるとしても、オーバーラッピング編組織を基本編組織として柄形成を行うジャカード筬Ｌ４及び／又はジャカード筬Ｌ５で、シャツ地２０２間、シャツ地２０２の胴部と島部２０７間、及びシャツ地２０２の袖部と島部２０７間を編地幅方向にて連結する場合には、両基布の対面方向の連結は柄筬Ｌ１，Ｌ２，Ｌ７，Ｌ８の内少なくとも１枚で行われ、連結編糸２０５ａ，２０５ｂ，２０５ｃに水溶性糸を使用すれば仕上げ加工時に連結編糸２０５ａ，２０５ｂ，２０５ｃが溶解除去されて被分離部２０６が連結部分の残留していない状態に形成される。
【００１８】
経編地例（Ｊ）における連続袋状経編地１０１を編成するに際して、地糸（図示せず）を通糸してなる地筬Ｌ３，Ｌ６の各々に鎖編組織を使用してショーツ地１０２が編成される場合には、地筬Ｌ３，Ｌ６を使用して片面基布１０３ａ及び他面基布１０３ｂの各々の地組織が鎖編組織で形成され、ジャカード柄糸（図示せず）を通糸してなるジャカード筬Ｌ４，Ｌ５を使用して、鎖編列をジャカード糸で連結することで必要に応じてジャカード柄が形成される。その際、両基布の対面方向の連結もジャカード筬Ｌ４，Ｌ５で行われる。柄筬Ｌ１，Ｌ２，Ｌ７，Ｌ８の内いずれか２枚に各々通糸されている連結編糸１０５ａ，１０５ｂは適宜編コース間隔を空けて挿入編組織で単体としてのショーツ地１０２間の連結及びショーツ地１０２の脚部と島部７間の連結を各々編地幅方向にて行う。その際、ショーツ地１０２間の連結あるいは脚部と島部７間の連結を行わない箇所において、連結編糸１０５ａ，１０５ｂはショーツ地１０２に編み込まれない。編成終了後に、連続袋状経編地１０１を仕上げ加工した後、連結編糸１０５ａ，１０５ｂを抜糸することで、連結編糸１０５ａ，１０５ｂ除去後の被分離部１０６が連結部分の残留していない状態に形成される。
【００１９】
地筬Ｌ３，Ｌ６の各々に鎖編組織を使用してショーツ地１０２が編成されるとしても、オーバーラッピング編組織を基本編組織として柄形成を行うジャカード筬Ｌ４及び／又はジャカード筬Ｌ５で、ショーツ地１０２間及びショーツ地１０２の脚部と島部７間を編地幅方向にて連結する場合には、両基布の対面方向の連結は柄筬Ｌ１，Ｌ２，Ｌ７，Ｌ８の内少なくとも１枚で行われ、連結編糸１０５ａ，１０５ｂに水溶性糸を使用すれば仕上げ加工時に連結編糸１０５ａ，１０５ｂが溶解除去されて被分離部１０６が連結部分の残留していない状態に形成される。
【００２０】
経編地例（Ｈ）におけるシャツ地２の編成方法を用いて、図３の経編地例（Ｋ）におけるシャツ３０２を編成する場合、地糸（図示せず）を通糸してなる地筬Ｌ３，Ｌ６の各々に鎖編組織を使用して両基布の対面方向の連結をジャカード筬Ｌ４，Ｌ５で行うとすると、連結編糸（図示せず）除去後の被分離部３０６が連結部分の残留していない状態に形成され、編成時に連結編糸の給糸量を調整することで胴部をくびれた状態とすることも可能である。但し、シャツ地３０２上のライナー柄部３０８は連結編糸用に使用されない柄筬を用いて形成されている。編成の際、ライナー柄部３０８形成用の柄筬に複数本のガイドニードルを有する特殊ガイドを取着して柄形成することも可能である。
【００２１】
地筬Ｌ３，Ｌ６の各々に鎖編組織を使用してシャツ３０２が編成されるとしても、オーバーラッピング編組織を基本編組織として柄形成を行うジャカード筬Ｌ４及び／又はジャカード筬Ｌ５を連結編糸用に使用する場合には、連結編糸に水溶性糸を使用すれば仕上げ加工時に連結編糸が溶解除去されて被分離部３０６が連結部分の残留していない状態に形成され、両基布の対面方向の連結に使用されない柄筬でライナー柄部３０８が形成される。編成の際、ライナー柄部３０８形成用の柄筬に複数本のガイドニードルを有する特殊ガイドを取着して柄形成することも可能である。
【００２２】
経編地例（Ｈ）におけるシャツ地２の編成方法を用いて、図３の経編地例（Ｌ）におけるシャツ４０２を編成する場合、地糸（図示せず）を通糸してなる地筬Ｌ３，Ｌ６の各々に鎖編組織を使用して両基布の対面方向の連結をジャカード筬Ｌ４，Ｌ５で行うとすると、連結編糸（図示せず）除去後の被分離部４０６が連結部分の残留していない状態に形成され、編成時に連結編糸の給糸量を調整することで胴部をくびれた状態とすることも可能である。但し、シャツ４０２におけるくびれ部４０９は連結編糸用に使用されない柄筬のアンダーラップ量を多くすることで形成されている。編成の際、くびれ部４０９形成用の柄筬に複数本のガイドニードルを有する特殊ガイドを取着してくびれ部形成することも可能である。
【００２３】
地筬Ｌ３，Ｌ６の各々に鎖編組織を使用してシャツ４０２が編成されるとしても、オーバーラッピング編組織を基本編組織として柄形成を行うジャカード筬Ｌ４及び／又はジャカード筬Ｌ５を連結編糸用に使用する場合には、連結編糸に水溶性糸を使用すれば仕上げ加工時に連結編糸が溶解除去されて被分離部４０６が連結部分の残留していない状態に形成され、両基布の対面方向の連結に使用されない柄筬でくびれ部４０９が形成される。編成の際、くびれ部４０９形成用の柄筬に複数本のガイドニードルを有する特殊ガイドを取着してくびれ部形成することも可能である。
【００２４】
経編地例（Ｈ）におけるシャツ地２の編成方法を用いて、図３の経編地例（Ｍ）におけるシャツ５０２を編成する場合、地糸（図示せず）を通糸してなる地筬Ｌ３，Ｌ６の各々に鎖編組織を使用して両基布の対面方向の連結をジャカード筬Ｌ４，Ｌ５で行うとすると、連結編糸（図示せず）除去後の被分離部５０６が連結部分の残留していない状態に形成され、編成時に連結編糸の給糸量を調整することで胴部をくびれた状態とすることも可能である。但し、シャツ５０２における裾部５１０及び／又は袖部５１１は、連結編糸用に使用されない柄筬に弾性糸を通糸してアンダーラップ量を多くすることで高伸縮性を有するように形成されている。編成の際、裾部５１０及び／又は袖部５１１形成用の柄筬に複数本のガイドニードルを有する特殊ガイドを取着して裾部及び／又は袖部形成することも可能である。
【００２５】
地筬Ｌ３，Ｌ６の各々に鎖編組織を使用してシャツ５０２が編成されるとしても、オーバーラッピング編組織を基本編組織として柄形成を行うジャカード筬Ｌ４及び／又はジャカード筬Ｌ５を連結編糸用に使用する場合には、連結編糸に水溶性糸を使用すれば仕上げ加工時に連結編糸が溶解除去されて被分離部５０６が連結部分の残留していない状態に形成され、両基布の対面方向の連結に使用されない柄筬で裾部５１０及び／又は袖部５１１が形成される。編成の際、裾部５１０又は袖部５１１形成用の柄筬に複数本のガイドニードルを有する特殊ガイドを取着して高伸縮性を有するように裾部及び／又は袖部形成することも可能である。
【００２６】
図１の筬配列（Ｃ）を有するダブルラッシェル機を使用して製造される一体成形袋状経編地及びその製造方法は次の通りである。経編地例（Ｈ）における連続袋状経編地１を編成するに際して、地糸（図示せず）を通糸してなる地筬Ｌ４，Ｌ７の各々に鎖編組織を使用してシャツ地２が編成される場合には、地筬Ｌ４，Ｌ７を使用して片面基布３ａ及び他面基布３ｂの各々の地組織が鎖編組織で形成され、ジャカード柄糸（図示せず）を通糸してなるジャカード筬Ｌ５，Ｌ６を使用して、鎖編列をジャカード糸で連結することでジャカード柄４が形成される。その際、両基布の対面方向の連結もジャカード筬Ｌ５，Ｌ６で行われる。柄筬Ｌ１，Ｌ２，Ｌ９，Ｌ１０、地筬Ｌ３，Ｌ８の内いずれか２枚に各々通糸されている連結編糸５ａ，５ｂは適宜編コース間隔を空けて挿入編組織で単体としてのシャツ地２間の連結及びシャツ地２の胴部と袖部間の連結を各々編地幅方向にて行い、胴部における所望の形状に応じて連結編糸５ｂの給糸量を適宜調整することで胴部がくびれた形状となる。その際、シャツ地間の連結あるいは胴部と袖部間の連結を行わない箇所において、連結編糸５ａ，５ｂはシャツ地２に編み込まれない。編成終了後に、連続袋状経編地１を仕上げ加工した後、連結編糸５ａ，５ｂを抜糸することで、連結編糸５ａ，５ｂ除去後の被分離部６が連結部分の残留していない状態に形成される。
【００２７】
地筬Ｌ４，Ｌ７の各々に鎖編組織を使用してシャツ地２が編成されるとしても、オーバーラッピング編組織を基本編組織として柄形成を行うジャカード筬Ｌ５及び／又はジャカード筬Ｌ６で、シャツ地２間及びシャツ地２の胴部と袖部間を編地幅方向にて連結する場合には、両基布の対面方向の連結は柄筬Ｌ１，Ｌ２，Ｌ９，Ｌ１０、地筬Ｌ３，Ｌ８の内少なくとも１枚で行われ、連結編糸５ａ，５ｂに水溶性糸を使用すれば仕上げ加工時に連結編糸５ａ，５ｂが溶解除去されて被分離部６が連結部分の残留していない状態に形成される。
【００２８】
経編地例（Ｈ）における連続袋状経編地１を編成するに際して、地糸（図示せず）を通糸してなる地筬Ｌ３，Ｌ４，Ｌ７，Ｌ８にダブルデンビ編組織を使用してシャツ地２が編成される場合には、地筬Ｌ３，Ｌ４及び地筬Ｌ７，Ｌ８を使用して片面基布３ａ及び他面基布３ｂの各々の地組織がダブルデンビ編組織で形成され、ジャカード柄糸（図示せず）を通糸してなるジャカード筬Ｌ５，Ｌ６を使用して、ダブルデンビ編組織で形成された地組織上にジャカード柄４が形成される。その際、両基布の対面方向の連結もジャカード筬Ｌ５，Ｌ６で行われる。柄筬Ｌ１，Ｌ２，Ｌ９，Ｌ１０の内いずれか２枚に各々通糸されている連結編糸５ａ，５ｂは適宜編コース間隔を空けて挿入編組織で単体としてのシャツ地２間の連結及びシャツ地２の胴部と袖部間の連結を各々編地幅方向にて行い、胴部における所望の形状に応じて連結編糸５ｂの給糸量を適宜調整することで胴部がくびれた形状となる。その際、シャツ地間の連結あるいは胴部と袖部間の連結を行わない箇所において、連結編糸５ａ，５ｂはシャツ地２に編み込まれない。編成終了後に、連続袋状経編地１を仕上げ加工した後、連結編糸５ａ，５ｂを抜糸することで、連結編糸５ａ，５ｂ除去後の被分離部６が連結部分の残留していない状態に形成される。但し、両基布の対面方向の連結部にジャカード筬で穴地を形成する際に形成される貫通穴を形成しないためには、両基布の対面方向の連結用に柄筬を追加する必要がある。
【００２９】
地筬Ｌ３，Ｌ４及び地筬Ｌ７，Ｌ８の各々にダブルデンビ編組織を使用してシャツ地２が編成されるとしても、オーバーラッピング編組織を基本編組織として柄形成を行うジャカード筬Ｌ５及び／又はジャカード筬Ｌ６で、シャツ地２間及びシャツ地２の胴部と袖部間を編地幅方向にて連結する場合には、両基布の対面方向の連結は柄筬Ｌ１，Ｌ２，Ｌ９，Ｌ１０の４枚で行われ、連結編糸５ａ，５ｂに水溶性糸を使用すれば仕上げ加工時に連結編糸５ａ，５ｂが溶解除去されて被分離部６が連結部分の残留していない状態に形成される。
【００３０】
経編地例（Ｉ）における連続袋状経編地２０１を編成するに際して、地糸（図示せず）を通糸してなる地筬Ｌ４，Ｌ７の各々に鎖編組織を使用してシャツ地２０２が編成される場合には、地筬Ｌ４，Ｌ７を使用して片面基布２０３ａ及び他面基布２０３ｂの各々の地組織が鎖編組織で形成され、ジャカード柄糸（図示せず）を通糸してなるジャカード筬Ｌ５，Ｌ６を使用して、鎖編列をジャカード糸で連結することでジャカード柄２０４が形成される。その際、両基布の対面方向の連結もジャカード筬Ｌ５，Ｌ６で行われる。柄筬Ｌ１，Ｌ２，Ｌ９，Ｌ１０、地筬Ｌ３，Ｌ８の内いずれか３枚に各々通糸されている連結編糸２０５ａ，２０５ｂ，２０５ｃは適宜編コース間隔を空けて挿入編組織で単体としてのシャツ地２０２間の連結、シャツ地２０２の胴部と島部２０７間の連結、シャツ地２０２の袖部と島部２０７間の連結を各々編地幅方向にて行い、胴部における所望の形状に応じて連結編糸２０５ｂ，２０５ｃの給糸量を適宜調整することで胴部がくびれた形状となる。その際、島部２０７を形成したことで連結編糸２０５ｂ，２０５ｃの糸テンションが適度に吸収されるので、シャツ地２０２の袖部が連結編糸２０５ｂの糸テンションに影響されずに編地編方向に真っすぐな形状を保って形成される。又、シャツ地間の連結、胴部と島部間の連結あるいは袖部と島部間の連結を行わない箇所において、連結編糸２０５ａ，２０５ｂ，２０５ｃはシャツ地２０２に編み込まれない。編成終了後に、連続袋状経編地２０１を仕上げ加工した後、連結編糸２０５ａ，２０５ｂ，２０５ｃを抜糸することで、連結編糸２０５ａ，２０５ｂ，２０５ｃ除去後の被分離部２０６が連結部分の残留していない状態に形成される。なお、島部２０７は最終的に切断除去される。
【００３１】
地筬Ｌ４，Ｌ７の各々に鎖編組織を使用してシャツ地２０２が編成されるとしても、オーバーラッピング編組織を基本編組織として柄形成を行うジャカード筬Ｌ５及び／又はジャカード筬Ｌ６で、シャツ地２０２間、シャツ地２０２の胴部と島部２０７間、及びシャツ地２０２の袖部と島部２０７間を編地幅方向にて連結する場合には、両基布の対面方向の連結は柄筬Ｌ１，Ｌ２，Ｌ９，Ｌ１０、地筬Ｌ３，Ｌ８の内少なくとも１枚で行われ、連結編糸２０５ａ，２０５ｂ，２０５ｃに水溶性糸を使用すれば仕上げ加工時に連結編糸２０５ａ，２０５ｂ，２０５ｃが溶解除去されて被分離部２０６が連結部分の残留していない状態に形成される。
【００３２】
経編地例（Ｉ）における連続袋状経編地２０１を編成するに際して、地糸（図示せず）を通糸してなる地筬Ｌ３，Ｌ４，Ｌ７，Ｌ８にダブルデンビ編組織を使用してシャツ地２０２が編成される場合には、地筬Ｌ３，Ｌ４及び地筬Ｌ７，Ｌ８を使用して片面基布２０３ａ及び他面基布２０３ｂの各々の地組織がダブルデンビ編組織で形成され、ジャカード柄糸（図示せず）を通糸してなるジャカード筬Ｌ５，Ｌ６を使用して、ダブルデンビ編組織で形成された地組織上にジャカード柄２０４が形成される。その際、両基布の対面方向の連結もジャカード筬Ｌ５，Ｌ６で行われる。柄筬Ｌ１，Ｌ２，Ｌ９，Ｌ１０の内いずれか３枚に各々通糸されている連結編糸２０５ａ，２０５ｂ，２０５ｃは適宜編コース間隔を空けて挿入編組織で単体としてのシャツ地２０２間の連結及びシャツ地２０２の胴部と袖部間の連結を各々編地幅方向にて行い、胴部における所望の形状に応じて連結編糸２０５ｂの給糸量を適宜調整することで胴部がくびれた形状となる。その際、シャツ地間の連結あるいは胴部と袖部間の連結を行わない箇所において、連結編糸２０５ａ，２０５ｂ，２０５ｃはシャツ地２０２に編み込まれない。編成終了後に、連続袋状経編地２０１を仕上げ加工した後、連結編糸２０５ａ，２０５ｂ，２０５ｃを抜糸することで、連結編糸２０５ａ，２０５ｂ，２０５ｃ除去後の被分離部２０６が連結部分の残留していない状態に形成される。但し、両基布の対面方向の連結部にジャカード筬で穴地を形成する際に形成される貫通穴を形成しないためには、両基布の対面方向の連結用に柄筬を追加する必要がある。
【００３３】
地筬Ｌ３，Ｌ４及び地筬Ｌ７，Ｌ８の各々にダブルデンビ編組織を使用してシャツ地２０２が編成されるとしても、オーバーラッピング編組織を基本編組織として柄形成を行うジャカード筬Ｌ５及び／又はジャカード筬Ｌ６で、シャツ地２０２間、シャツ地２０２の胴部と島部２０７間、及びシャツ地２０２の袖部と島部２０７間を編地幅方向にて連結する場合には、両基布の対面方向の連結は柄筬Ｌ１，Ｌ２，Ｌ９，Ｌ１０の４枚で行われ、連結編糸２０５ａ，２０５ｂ，２０５ｃに水溶性糸を使用すれば仕上げ加工時に連結編糸２０５ａ，２０５ｂ，２０５ｃが溶解除去されて被分離部２０６が連結部分の残留していない状態に形成される。
【００３４】
経編地例（Ｊ）における連続袋状経編地１０１を編成するに際して、地糸（図示せず）を通糸してなる地筬Ｌ４，Ｌ７の各々に鎖編組織を使用してショーツ地１０２が編成される場合には、地筬Ｌ４，Ｌ７を使用して片面基布１０３ａ及び他面基布１０３ｂの各々の地組織が鎖編組織で形成され、ジャカード柄糸（図示せず）を通糸してなるジャカード筬Ｌ５，Ｌ６を使用して、鎖編列をジャカード糸で連結することで必要に応じてジャカード柄が形成される。その際、両基布の対面方向の連結もジャカード筬Ｌ５，Ｌ６で行われる。柄筬Ｌ１，Ｌ２，Ｌ９，Ｌ１０、地筬Ｌ３，Ｌ８の内いずれか２枚に各々通糸されている連結編糸１０５ａ，１０５ｂは適宜編コース間隔を空けて挿入編組織で単体としてのショーツ地１０２間の連結及びショーツ地１０２の脚部と島部７間の連結を各々編地幅方向にて行う。その際、ショーツ地１０２間の連結あるいは脚部と島部７間の連結を行わない箇所において、連結編糸１０５ａ，１０５ｂはショーツ地１０２に編み込まれない。編成終了後に、連続袋状経編地１０１を仕上げ加工した後、連結編糸１０５ａ，１０５ｂを抜糸することで、連結編糸１０５ａ，１０５ｂ除去後の被分離部１０６が連結部分の残留していない状態に形成される。
【００３５】
地筬Ｌ４，Ｌ７の各々に鎖編組織を使用してショーツ地１０２が編成されるとしても、オーバーラッピング編組織を基本編組織として柄形成を行うジャカード筬Ｌ５及び／又はジャカード筬Ｌ６で、ショーツ地１０２間及びショーツ地１０２の脚部と島部７間を編地幅方向にて連結する場合には、両基布の対面方向の連結は柄筬Ｌ１，Ｌ２，Ｌ９，Ｌ１０、地筬Ｌ３，Ｌ８の内少なくとも１枚で行われ、連結編糸１０５ａ，１０５ｂに水溶性糸を使用すれば仕上げ加工時に連結編糸１０５ａ，１０５ｂが溶解除去されて被分離部１０６が連結部分の残留していない状態に形成される。
【００３６】
経編地例（Ｊ）における連続袋状経編地１０１を編成するに際して、地糸（図示せず）を通糸してなる地筬Ｌ３，Ｌ４，Ｌ７，Ｌ８にダブルデンビ編組織を使用してショーツ地２０２が編成される場合には、地筬Ｌ３，Ｌ４及び地筬Ｌ７，Ｌ８を使用して片面基布３ａ及び他面基布３ｂの各々の地組織がダブルデンビ編組織で形成され、ジャカード柄糸（図示せず）を通糸してなるジャカード筬Ｌ５，Ｌ６を使用して、ダブルデンビ編組織で形成された地組織上に必要に応じてジャカード柄が形成される。その際、両基布の対面方向の連結もジャカード筬Ｌ５，Ｌ６で行われる。柄筬Ｌ１，Ｌ２，Ｌ９，Ｌ１０の内いずれか２枚に各々通糸されている連結編糸１０５ａ，１０５ｂは適宜編コース間隔を空けて挿入編組織で単体としてのショーツ地１０２間の連結及びショーツ地１０２の胴部と袖部間の連結を各々編地幅方向にて行い、胴部における所望の形状に応じて連結編糸１０５ｂの給糸量を適宜調整することで胴部がくびれた形状となる。その際、ショーツ地１０２間の連結あるいは脚部と島部７間の連結を行わない箇所において、連結編糸１０５ａ，１０５ｂはショーツ地１０２に編み込まれない。編成終了後に、連続袋状経編地１０１を仕上げ加工した後、連結編糸１０５ａ，１０５ｂを抜糸することで、連結編糸１０５ａ，１０５ｂ除去後の被分離部１０６が連結部分の残留していない状態に形成される。但し、両基布の対面方向の連結部にジャカード筬で穴地を形成する際に形成される貫通穴を形成しないためには、両基布の対面方向の連結用に柄筬を追加する必要がある。
【００３７】
地筬Ｌ３，Ｌ４及び地筬Ｌ７，Ｌ８の各々にダブルデンビ編組織を使用してショーツ地１０２が編成されるとしても、オーバーラッピング編組織を基本編組織として柄形成を行うジャカード筬Ｌ５及び／又はジャカード筬Ｌ６で、ショーツ地１０２間及び脚部と島部７間を連結する場合には、両基布の対面方向の連結は柄筬Ｌ１，Ｌ２，Ｌ９，Ｌ１０の４枚で行われ、連結編糸１０５ａ，１０５ｂに水溶性糸を使用すれば仕上げ加工時に連結編糸１０５ａ，１０５ｂが溶解除去されて被分離部１０６が連結部分の残留していない状態に形成される。
【００３８】
経編地例（Ｈ）におけるシャツ地２の編成方法を用いて、図３の経編地例（Ｋ）におけるシャツ３０２を編成する場合、地糸（図示せず）を通糸してなる地筬Ｌ４，Ｌ７の各々に鎖編組織を使用して両基布の対面方向の連結をジャカード筬Ｌ５，Ｌ６で行うとすると、連結編糸（図示せず）除去後の被分離部３０６が連結部分の残留していない状態に形成され、編成時に連結編糸の給糸量を調整することで胴部をくびれた状態とすることも可能である。但し、シャツ地３０２上のライナー柄部３０８は連結編糸用に使用されない柄筬を用いて形成されている。編成の際、ライナー柄部３０８形成用の柄筬に複数本のガイドニードルを有する特殊ガイドを取着して柄形成することも可能である。
【００３９】
地筬Ｌ４，Ｌ７の各々に鎖編組織を使用してシャツ３０２が編成されるとしても、オーバーラッピング編組織を基本編組織として柄形成を行うジャカード筬Ｌ５及び／又はジャカード筬Ｌ６を連結編糸用に使用する場合には、連結編糸に水溶性糸を使用すれば仕上げ加工時に連結編糸が溶解除去されて被分離部３０６が連結部分の残留していない状態に形成され、両基布の対面方向の連結に使用されない柄筬又は地筬でライナー柄部３０８が形成される。編成の際、ライナー柄部３０８形成用の柄筬に複数本のガイドニードルを有する特殊ガイドを取着して柄形成することも可能である。
【００４０】
経編地例（Ｈ）におけるシャツ地２の編成方法を用いて、経編地例（Ｌ）におけるシャツ４０２を編成する場合、地糸（図示せず）を通糸してなる地筬Ｌ４，Ｌ７の各々に鎖編組織を使用して両基布の対面方向の連結をジャカード筬Ｌ５，Ｌ６で行うとすると、連結編糸（図示せず）除去後の被分離部４０６が連結部分のない状態に形成され、編成時に連結編糸の給糸量を調整することで胴部をくびれた状態とすることも可能である。但し、シャツ地４０２におけるくびれ部４０９は連結編糸用に使用されない柄筬又は地筬のアンダーラップ量を多くすることで形成されている。編成の際、くびれ部４０９形成用の柄筬に複数本のガイドニードルを有する特殊ガイドを取着してくびれ部形成することも可能である。
【００４１】
地筬Ｌ４，Ｌ７の各々に鎖編組織を使用してシャツ４０２が編成されるとしても、オーバーラッピング編組織を基本編組織として柄形成を行うジャカード筬Ｌ５及び／又はジャカード筬Ｌ６を連結編糸用に使用する場合には、連結編糸に水溶性糸を使用すれば仕上げ加工時に連結編糸が溶解除去されて被分離部４０６が連結部分の残留していない状態に形成され、両基布の対面方向の連結に使用されない柄筬又は地筬でくびれ部４０９が形成される。編成の際、くびれ部４０９形成用の柄筬に複数本のガイドニードルを有する特殊ガイドを取着してくびれ部形成することも可能である。
【００４２】
経編地例（Ｈ）におけるシャツ地２の編成方法を用いて、図３の経編地例（Ｍ）におけるシャツ５０２を編成する場合、地糸（図示せず）を通糸してなる地筬Ｌ４，Ｌ７の各々に鎖編組織を使用して両基布の対面方向の連結をジャカード筬Ｌ５，Ｌ６で行うとすると、連結編糸（図示せず）除去後の被分離部５０６が分離跡のない状態に形成され、編成時に連結編糸の給糸量を調整することで胴部をくびれた状態とすることも可能である。但し、シャツ５０２における裾部５１０及び／又は袖部５１１は、連結編糸用に使用されない柄筬又は地筬に弾性糸を通糸してアンダーラップ量を多くすることで高伸縮性を有するように形成されている。編成の際、裾部５１０及び／又は袖部５１１形成用の柄筬に複数本のガイドニードルを有する特殊ガイドを取着して裾部及び／又は袖部形成することも可能である。
【００４３】
地筬Ｌ４，Ｌ７の各々に鎖編組織を使用してシャツ５０２が編成されるとしても、オーバーラッピング編組織を基本編組織として柄形成を行うジャカード筬Ｌ５及び／又はジャカード筬Ｌ６を連結編糸用に使用する場合には、連結編糸に水溶性糸を使用すれば仕上げ加工時に連結編糸が溶解除去されて被分離部５０６が連結部分の残留していない状態に形成され、両基布の対面方向の連結に使用されない柄筬で裾部５１０及び／又は袖部５１１が形成される。編成の際、裾部５１０又は袖部５１１形成用の柄筬に複数本のガイドニードルを有する特殊ガイドを取着して高伸縮性を有するように裾部及び／又は袖部形成することも可能である。
【００４４】
図１の筬配列（Ｄ）を有するダブルラッシェル機を使用して編成し、仕上げ加工後に連結編糸を除去することで、両基布を鎖編あるいはダブルデンビ編組織で形成してなる経編地例（Ｈ）におけるシャツ地２、両基布を鎖編あるいはダブルデンビ編組織で形成してなる経編地例（Ｉ）におけるシャツ地２０２、両基布を鎖編あるいはダブルデンビ編組織で形成してなる経編地例（Ｊ）におけるショーツ地１０２、両基布を鎖編組織で形成してなる経編地例（Ｋ）におけるシャツ３０２、両基布を鎖編組織で形成してなる経編地例（Ｌ）におけるシャツ４０２、両基布を鎖編組織で形成してなる経編地例（Ｍ）におけるシャツ５０２が製造される。
【００４５】
図１の筬配列（Ｅ）、筬配列（Ｆ）あるいは筬配列（Ｇ）を有するダブルラッシェル機を使用して編成し、仕上げ加工後に連結編糸を除去することで、両基布を鎖編あるいはダブルデンビ編組織で形成してなる経編地例（Ｈ）におけるシャツ地２、両基布を鎖編あるいはダブルデンビ編組織で形成してなる経編地例（Ｉ）におけるシャツ地２０２、両基布を鎖編あるいはダブルデンビ編組織で形成してなる経編地例（Ｊ）におけるショーツ地１０２、両基布を鎖編組織あるいはダブルデンビ編組織で形成してなる経編地例（Ｋ）におけるシャツ３０２、両基布を鎖編組織あるいはダブルデンビ編組織で形成してなる経編地例（Ｌ）におけるシャツ４０２、両基布を鎖編組織あるいはダブルデンビ編組織で形成してなる経編地例（Ｍ）におけるシャツ５０２が製造される。
【００４６】
図１の筬配列（Ｅ）、筬配列（Ｆ）あるいは筬配列（Ｇ）を有するダブルラッシェル機を使用してショーツを編成して、それらの経編地を所望の形状に応じて斜め方向にカットする場合には、カット端からのほつれを防止する必要があるので、基布形成、経編地の幅方向あるいは対面方向の連結、柄形成、くびれ部形成、裾部あるいは袖部形成等に使用されなかった柄筬又は地筬に曲がり鎖編組織を用いることで、経編地例（Ｎ）のショーツ６０２のほつれ防止部６１２が形成される。
【００４７】
本発明の一体成形袋状経編地としては、シャツ、ショーツの他に、レオタード、ドレス、ベルト、マフラー、帽子、ベスト、パンティストッキング、ズボン、スカート、座布団カバー、ショール、スカーフ、ブラジャー、サポータ、ソックス、スリップ、ヘアバンド、レッグウォーマー、ハンモック、洗濯ネット等各種ネット、包装袋，収納袋等各種袋、ビーチチェア、ヘアリボン、クッション、ブックカバー等各種カバーなどがあげられる。
【００４８】
本発明の経編地を編成するための筬配列は前記筬配列（Ａ）〜（Ｇ）に限定されず、経編地の所望の形状変化に応じて地筬及び／又は柄筬の追加、あるいは地筬を取り外して柄筬に、柄筬を取り外して地筬に変更することが可能である。又、ジャカード筬に連結編糸を通糸する場合であっても、両基布の対面方向の連結をジャカード筬で行うことが可能な場合もある。
【００４９】
本発明の方法により経編地を製造するいずれの場合においても、連結編糸に水溶性糸を使用し、その連結編糸を溶解除去して一体成形袋状経編地を製造することが可能である。
【００５０】
本発明の方法により経編地を製造する場合、基布形成に使用される編組織は鎖編組織、ダブルデンビ編組織に限定されず、ロックニット編組織、サテン編組織等のオーバーラッピング編組織、及び鎖編組織を含むオーバーラッピング編組織と挿入編組織の組み合わせが使用可能である。
【００５１】
本発明の経編地を編成する経編機の筬駆動が、サーボモータ、リニアモータ等により行われる場合は、筬駆動用のチェーンドラムを経編機に搭載する必要はない。
【００５２】
本発明の一体成形袋状経編地編成用の経編機は、６Ｅ〜２８Ｅの機種であればよく、本発明の経編地の生産に好適な糸素材としては、ナイロン、ポリエステル等の合成繊維を含む化学繊維のモノフィラメント糸あるいはマルチフィラメント糸、綿，麻等の植物繊維、絹等の動物繊維、金糸，銀糸等の金属繊維、非カバーリング弾性糸、非カバーリング弾性糸に綿，麻等の天然繊維でカバーリングしたカバーリング弾性糸等があげられ、それらの糸素材の好適な使用範囲としては非弾性糸の場合３０デニール〜６００デニール、弾性糸の場合、非カバーリング弾性糸で４０デニール〜２８０デニール、カバーリング弾性糸で６０デニール〜４２０デニールである。又、本発明の一体成形袋状経編地をインナーウエア、アウターウエア等に使用した場合の締め付けパワーは着用時に締め付け過ぎず、緩み過ぎない程度であればよい。
【００５３】
【発明の効果】
本発明によれば、最少工程数で仕上げ加工が可能であり且つ編地幅方向側に連結部分が残留していない袋状経編地を製造する方法、及びその袋状経編地の編成中に所定の形状に応じて形状変化部を形成する袋状経編地の製造方法並びにその製造方法により得られる袋状経編地が提供されるので、装飾性に優れた一体成形袋状経編地を効率的に製造することが可能となる。
【図面の簡単な説明】
【図１】本発明実施例の一体成形袋状経編地を編成するためのダブルラッシェル機の７つの筬配列（Ａ）〜（Ｇ）を示す図。
【図２】連結編糸除去前の本発明の一体成形袋状経編地の３つの実施例（Ｈ）〜（Ｊ）を示す平面図。
【図３】連結編糸除去後の本発明の一体成形袋状経編地の４つの実施例（Ｋ）〜（Ｎ）を示す平面図。
【符号の説明】
１，１０１，２０１：連続袋状経編地
５ａ，５ｂ，１０５ａ，１０５ｂ，２０５ａ，２０５ｂ，２０５ｃ：連結編糸
【図１】
0004353612.tif 000002
【図２】
0004353612.tif 000003
【図３】
0004353612.tif 000004